(57)【要約】【課題】上壁部１１の下方に位置する環状の周壁部１２に、混合気を噴出する炎孔通路５が周方向の間隔を存して複数開設され、各炎孔通路５の第１軸線ｃが径方向に対し周方向一方に傾き、上壁部１１の上面に環状の堤部６が立設され、堤部６の周方向の一部に切欠き溝６１が形成されると共に、周壁部１２の炎口面の炎口５１よりも上方位置又は周壁部１２の炎口面側に位置する上壁部１１の周面に、全周に亘り、径方向に張り出す庇部７が設けられるコンロ用バーナ１において、切欠き溝６１から流下する煮こぼれ汁が炎孔通路５の内部に浸入することをより効果的に防止する。【解決手段】切欠き溝６１の第２軸線Ｃが径方向に対し周方向他方に傾いて、第２軸線Ｃが、切欠き溝６１の下方に位置する炎孔通路５ａ，５ｂの第１軸線ｃ１，ｃ２と平面視で実質的に直交する。【選択図】図３
2020173077.tif 000002
【特許請求の範囲】
【請求項１】
混合気が供給される混合気室と、当該混合気室を上方から覆う上壁部と、当該上壁部の下方に位置する環状の周壁部とを備え、周壁部には、当該周壁部を貫通して混合気を噴出する炎孔通路が周方向の間隔を存して複数開設され、各炎孔通路の中心軸線である第１軸線が径方向に対し周方向一方に傾いたコンロ用バーナであって、
炎孔通路の下流端を炎口とし、当該炎口が開口する周壁部の面を炎口面として、上壁部の上面に、当該上面に落下した煮こぼれ汁が炎口面に流下することを防止する環状の堤部が立設され、当該堤部の周方向の一部に切欠き溝が形成されると共に、周壁部の炎口面の炎口よりも上方位置又は当該炎口面側に位置する上壁部の周面のいずれか一方に、全周に亘り、径方向に張り出す庇部が設けられるものにおいて、
切欠き溝の中心軸線である第２軸線が径方向に対し周方向他方に傾いて、当該第２軸線が、切欠き溝の下方に位置する炎孔通路の第１軸線と平面視で実質的に直交することを特徴とするコンロ用バーナ。
【請求項２】
前記庇部の上面が、張り出し方向に向かって下方に傾くテーパ面であることを特徴とする請求項１記載のコンロ用バーナ。
【請求項３】
前記周壁部の炎口面は、炎口の高さ範囲において、下方に向けて混合気の噴出方向の反対側に傾いていることを特徴とする請求項１又は２記載のコンロ用バーナ。
【発明の詳細な説明】
【技術分野】
【０００１】
本発明は、混合気が供給される混合気室と、当該混合気室を上方から覆う上壁部と、当該上壁部の下方に位置する環状の周壁部とを備え、周壁部には、当該周壁部を貫通して混合気を噴出する炎孔通路が周方向の間隔を存して複数開設されたコンロ用バーナに関する。
【背景技術】
【０００２】
従来、炎孔通路の下流端を炎口とし、当該炎口が開口する周壁部の面を炎口面として、上壁部の上面に、当該上面に落下した煮こぼれ汁が炎口面に流下することを防止する環状の堤部が立設され、当該堤部の周方向の一部に切欠き溝が形成されると共に、炎口面側に位置する上壁部の周面に、全周に亘り、径方向に張り出す庇部が設けられるコンロ用バーナが知られている（例えば、特許文献１参照）。
【０００３】
特許文献１記載のコンロ用バーナでは、上壁部の上面に落下し、堤部で堰き止めきれない煮こぼれ汁を切欠き溝を介して流下させるが、庇部によって流下する煮こぼれ汁が炎口面の各炎口にかかることを防止する。
【先行技術文献】
【特許文献】
【０００４】
【特許文献１】特開２０１８−１８９２５５号公報
【発明の概要】
【発明が解決しようとする課題】
【０００５】
然し、内炎式、外炎式を問わず、コンロ用バーナでは、庇部を設けても、切欠き溝から流下する煮こぼれ汁が、少量であったり、粘度が高かったりする等によって流速が遅い場合、煮こぼれ汁が、庇部の下面を伝い炎口に向かって回り込み、炎口から炎孔通路の内部に浸入する現象が確認された。特に、炎口から噴出する混合気の噴出量が少ない場合、その現象は顕著であった。
【０００６】
本発明は、切欠き溝から流下する煮こぼれ汁が炎孔通路の内部に浸入することをより効果的に防止できるようにしたコンロ用バーナを提供することをその課題としている。
【課題を解決するための手段】
【０００７】
上記課題を解決するために、本発明は、混合気が供給される混合気室と、当該混合気室を上方から覆う上壁部と、当該上壁部の下方に位置する環状の周壁部とを備え、周壁部には、当該周壁部を貫通して混合気を噴出する炎孔通路が周方向の間隔を存して複数開設され、各炎孔通路の中心軸線である第１軸線が径方向に対し周方向一方に傾いたコンロ用バーナであって、炎孔通路の下流端を炎口とし、当該炎口が開口する周壁部の面を炎口面として、上壁部の上面に、当該上面に落下した煮こぼれ汁が炎口面に流下することを防止する環状の堤部が立設され、当該堤部の周方向の一部に切欠き溝が形成されると共に、周壁部の炎口面の炎口よりも上方位置又は当該炎口面側に位置する上壁部の周面のいずれか一方に、全周に亘り、径方向に張り出す庇部が設けられるものにおいて、切欠き溝の中心軸線である第２軸線が径方向に対し周方向他方に傾いて、当該第２軸線が、切欠き溝の下方に位置する炎孔通路の第１軸線と平面視で実質的に直交することを特徴とする。
【０００８】
煮こぼれ汁の炎孔通路の内部への浸入は、切欠き溝の第２軸線と当該切欠き溝の下方（特に、切欠き溝の直下及びその近傍）に位置する炎孔通路の第１軸線とが平面視で一致する又は互いにほぼ平行となる場合に起こりやすい。然し、本発明によれば、切欠き溝の第２軸線が切欠き溝の下方に位置する炎孔通路の第１軸線と平面視で実質的に直交するため、切欠き溝から流下する煮こぼれ汁が、流速が遅く、庇部の下面を伝い炎口に向かって回り込んでも、炎口付近までの浸入にとどめることができる。従って、炎孔通路の内部への浸入をより効果的に防止できる。炎口付近に浸入した煮こぼれ汁は、その後に炎口から噴出する混合気によって炎口の外方に吹き飛すことができるため、炎口の詰まりは生じにくい。
【０００９】
また、本発明においては、庇部の上面が、張り出し方向に向かって下方に傾くテーパ面であることが望ましい。これによれば、庇部の上面の張り出し方向先端で煮こぼれ汁を切って流下させることができ、煮こぼれ汁の庇部の下面伝いが起こりにくくなる。従って、煮こぼれ汁の炎孔通路の内部への浸入を更に防止できる。
【００１０】
また、本発明においては、周壁部の炎口面は、炎口の高さ範囲において、下方に向けて混合気の噴出方向の反対側に傾いていることが望ましい。これによれば、煮こぼれ汁の一部が庇部の下面を伝い炎口の上端部に向かって回り込んだとしても、煮こぼれ汁は、炎口の下端から離れたところに滴下して、炎口にかかることを防止できる。従って、煮こぼれ汁の炎孔通路の内部への浸入を更に防止できる。
【図面の簡単な説明】
【００１１】
【図１】本発明のコンロ用バーナの一実施形態の要部斜視図。
【図２】図１に示すコンロ用バーナのＡ−Ａ線で切断した断面図。
【図３】図１に示すコンロ用バーナの要部平面図。
【発明を実施するための形態】
【００１２】
図１及び図２を参照して、本発明の一実施形態であるコンロ用バーナ１を以下に説明する。コンロ用バーナ１は内炎式バーナである。コンロ用バーナ１は、環状のバーナボディ２と、バーナボディ２上に設けられた環状のバーナヘッド３と、バーナボディ２と一体に形成された混合管４とから構成されている。
【００１３】
バーナボディ２は、板金製であり、底壁部２１と、底壁部２１の外周部に対する接合部から上方に立ち上がる外周壁部２２とから構成され、底壁部２１と外周壁部２２との間に、燃焼ガスと一次空気との混合気が供給される混合気室２３を形成している。混合気室２３は、混合管４と連通している。混合管４の上流端の流入口４１に臨む、図示省略したガスノズルから噴射される燃料ガスと流入口４１から吸引される一次空気との混合気が、混合管４を介して混合気室２３内に供給される。
【００１４】
バーナヘッド３は、鋳物製であり、径方向に２分割されて互いに別体とされた、外周部を形成する台座部３１と内周部を形成する本体部３２とから構成されている。そして、台座部３１と本体部３２の上端部とによってコンロ用バーナ１の上壁部１１を形成している。台座部３１は、バーナボディ２の外周壁部２２の上端部に固定され、径方向内方に張り出すフランジ部３１１を有する。本体部３２は、上端外周部を形成するフランジ部３２１と、フランジ部３２１の内周端部から垂下する周壁部３２２とから構成されている。本体部３２は、台座部３１に着脱自在であり、フランジ部３２１を台座部３１のフランジ部３１１上に載置することによって、本体部３２は台座部３１に着座する。この着座時に、周壁部３２２の下端が、バーナボディ２の底壁部２１の内周端部上に載置される。そして、本体部３２の周壁部３２２によってコンロ用バーナ１の周壁部１２を形成し、周壁部３２２（１２）は上壁部１１の下方に位置する。
【００１５】
バーナヘッド３の本体部３２の周壁部３２２（１２）には、下面から上方に凹入する、炎孔通路５を形成する溝が周方向の間隔を存して複数形成されている。各溝は、周壁部３２２（１２）の台座部３１への着座時に、下端がバーナボディ２の底壁部２１の内周端部によって閉塞され、コンロ用バーナ１の周壁部１２に、周壁部１２を貫通する複数の炎孔通路５が周方向の間隔を存して開設される。各炎孔通路５は、下流端に炎口５１を有し、バーナボディ２の混合気室２３と連通して、混合気室２３内に混合管４を介して供給される混合気を炎口５１からコンロ用バーナ１の径方向内方に噴出する。
【００１６】
また、コンロ用バーナ１では、バーナヘッド３の本体部３２の上面内周端部に、環状の堤部６が立設され、堤部６は、本体部３２の上面（コンロ用バーナ１の上壁部１１の上面）に落下した煮こぼれ汁が、本体部３２の周壁部３２２（１２）の炎口５１が開口する面である炎口面３２２ａ（コンロ用バーナ１の周壁部１２の炎口面１２１）に流下することを防止する。堤部６には、周方向の一部に切欠き溝６１が複数形成されている。
【００１７】
更に、コンロ用バーナ１では、バーナヘッド３の本体部３２の周壁部３２２（１２）の炎口面３２２ａ（１２１）は、図２の点線円内に拡大して示す如く、炎口５１の高さ範囲において、下方に向けて混合気の噴出方向の反対側に傾いている。
【００１８】
そして、コンロ用バーナ１では、バーナヘッド３において、本体部３２の周壁部３２２（１２）の炎口面３２２ａ（１２１）の炎口５１より上方位置に、全周に亘り、径方向に張り出す庇部７が設けられている。庇部７の上面７１は、上記点線円内に拡大して示す如く、張り出し方向に向かって下方に傾くテーパ面となっている。
【００１９】
図３を参照して、バーナヘッド３の本体部３２の周壁部３２２（１２）に開設された各炎孔通路５の中心軸線である第１軸線ｃは、周壁部３２２（１２）の径方向（図３の二点鎖線で示す方向）に対し傾き角αで周方向一方に傾いている。この傾きによって、コンロ用バーナ１の燃焼炎が周方向一方に旋回し、調理用器の加熱効率が向上する。堤部６の一部に形成された各切欠き溝６１の中心軸線である第２軸線Ｃは、径方向に対し傾き角βで周方向他方に傾くと共に、切欠き溝６１の下方、即ち、切欠き溝６１の直及びその近傍に位置する２つの炎孔通路５ａ，５ｂの第１軸線ｃ１，ｃ２と平面視で実質的に直交している。ここで、「実質的に直交」とは、切欠き溝６１の第２軸線Ｃと炎孔通路の第１軸線ｃ１，ｃ２とのなす角θ１，θ２が正に９０°であることを意図しない。誤差等を含め、例えば、８０°〜１００°程度等の範囲を許容する。
【００２０】
ところで、バーナヘッド３の本体部３２の上面に落下した煮こぼれ汁の一部は、切欠き溝６１を第２軸線Ｃに沿って径方向外端から径方向内端に向かって流れ、庇部７の上面７１の張り出し方向先端から本体部３２の径方向内部に流出する。煮こぼれ汁が少量であったり、粘度が高かったりする等によって煮こぼれ汁の流速が遅い場合、流出する煮こぼれ汁は、庇部７の下面７２を伝い周壁部３２２（１２）の炎口５１に向かって回り込む。このときの煮こぼれ汁の回り込み方向は、煮こぼれ汁が切欠き溝６１を第２軸線Ｃに沿って径方向外端から径方向内端に向かって流れる時と反対方向になる。従って、炎孔通路５の第１軸線ｃが切欠き溝６１の第２軸線Ｃと平面視で一致する又は互いにほぼ平行であると、上記の如く回り込んだ煮こぼれ汁は、炎口５１の上端から炎孔通路５の内部に浸入することになる。
【００２１】
然し、上記実施形態のコンロ用バーナ１では、切欠き溝６１の第２軸線Ｃが切欠き溝６１の下方に位置する炎孔通路５ａ，５ｂの第１軸線ｃ１，ｃ２と平面視で実質的に直交するため、上記の如く回り込む煮こぼれ汁は、炎口５１ａ，５１ｂの高さ方向にのびる２つの口縁の内、煮こぼれ汁の回り込み方向で庇部７の上面７１の張り出し方向先端からの距離が遠い一方の口縁又は当該口縁付近に位置する炎孔通路５ａ，５ｂの内壁部で断ち切られて、滴下する。従って、庇部７の下面７２を伝い炎口５１ａ，５１ｂに向かって煮こぼれ汁が回り込んでも、煮こぼれ汁の浸入は炎口５１ａ，５１ｂ付近までにとどめることができ、炎孔通路５ａ，５ｂの内部への煮こぼれ汁の浸入をより効果的に防止できる。尚、炎口５１ａ，５１ｂ付近に浸入した煮こぼれ汁は、その後に炎口５１ａ，５１ｂから噴出する混合気によって炎口５１ａ，５１ｂの外方に吹き飛すことができるため、炎口５１ａ，５１ｂの詰まりは生じにくい。
【００２２】
また、庇部７の上面７１が、張り出し方向に向かって下方に傾くテーパ面であるため、庇部７の上面７１の張り出し方向先端で煮こぼれ汁を切って流下させることができ、煮こぼれ汁の庇部７の下面伝いが起こりにくくなる。従って、煮こぼれ汁の炎孔通路５ａ，５ｂの内部への浸入を更に防止できる。
【００２３】
更に、周壁部３２２（１２）の炎口面３２２ａ（１２１）が、炎口５１の高さ範囲において、下方に向けて混合気の噴出方向の反対側に傾いているため、煮こぼれ汁の一部が庇部７の下面７２を伝い炎口５１ａ，５１ｂの上端部に向かって回り込んだとしても、煮こぼれ汁は、炎口５１ａ，５１ｂの下端から離れたところに滴下して、炎口５１ａ，５１ｂにかかることを防止できる。従って、煮こぼれ汁の炎孔通路５の内部への浸入を更に防止できる。
【００２４】
以上、本発明を一実施形態に関して説明したが、本発明は上記実施形態に限定されない。例えば、上記実施形態では、庇部７は、周壁部１２の炎口面１２１に設けられているが、炎口面１２１側に位置する上壁部１１の周面に設けてもよい。また、上記実施形態では、切欠き溝６１の下方に位置する炎孔通路５を２つの炎孔通路５ａ，５ｂとしているが、切欠き溝６１の下方に位置する炎孔通路５の個数は、各炎孔通路５の周方向の間隔、傾き角αや、切欠き溝６１の個数、傾き角β等によって異なり、１つ又は３つ以上の場合もある。
【００２５】
更に、バーナヘッド３は、台座部３１と本体部３２とが一体のものであってもよい。更にまた、バーナボディ２の底壁部２１を板金製としているが、鋳物製とすることも可能である。この場合、底壁部２１の内周端部に環状壁を立設し、この環状壁に炎孔通路５となる溝を形成して、環状壁の上面に着座するようにバーナヘッド３を設けてもよい。この場合のバーナヘッド３は環状又は板状の蓋等とすることができる。そして、上記実施形態は内炎式バーナであるが、本発明は外炎式バーナにも等しく適用できる。この場合、堤部６は上壁部１１の上面外周端部に立設され、バーナヘッド３はバーナキャップと呼称されてもよい。
【符号の説明】
【００２６】
１…コンロ用バーナ、１１…上壁部、１２…周壁部、１２１…炎口面、２３…混合気室、５，５ａ，５ｂ…炎孔通路、５１，５１ａ，５１ｂ…炎口、６…堤部、６１…切欠き溝、７…庇部、７１…庇部７の上面、ｃ…炎孔通路５の第１軸線、ｃ１，ｃ２…炎孔通路５ａ，５ｂの第１軸線、Ｃ…切欠き溝６の第２軸線。
【図１】
2020173077.tif 000003
【図２】
2020173077.tif 000004
【図３】
2020173077.tif 000005